(57)【要約】   【課題】建物が近接している場合に設けられる出窓構造であって出窓の側面部からの採光を建物内に効率よく得ることができる出窓構造を提供する。  【解決手段】    建物の壁面２０に形成される出窓２１は、壁面２０から突出する矩形状の正面部２３と、この正面部２３と壁面２０との隙間を囲って設ける矩形状の一対の側面部２４と頂面部２５と底面部２６とで形成される。正面部２３には枠材２３ａを介して不透明板材２３ｂが取付けられる。一方の側面部２４には枠材２４ａを介して透明板材２４ｂが取付けられ壁面２０に沿って採光用反射板３０を備える。この採光用反射板３０は側面部２４に向けて壁面２０から角度αで立上るように傾斜して設けられる。不透明板材２３ｂの室内側に平面状の光反射板３３が枠材２３ａに固着して設けられる。【選択図】  図２
2010053519.tif 000002
【特許請求の範囲】
【請求項１】
建物の出窓構造であって、
前記出窓は壁面から突出する矩形状の正面部とこの正面部と前記壁面の間を囲う一対の側面部と頂面部と底面部とで形成され、前記側面部が透明板材で形成され前記建物に沿って採光用反射板を備えることを特徴とする出窓構造。
【請求項２】
請求項１に記載の出窓構造であって、前記採光用反射板は前記出窓の側面部に向けて前記建物から立上り傾斜して設けられることを特徴とする出窓構造。
【請求項３】
請求項１又は請求項２に記載の出窓構造であって、前記出窓の正面部は不透明板材で裏面に光反射板を備えることを特徴とする出窓構造。
【請求項４】
請求項１又は請求項２に記載の出窓構造であって、前記出窓の正面部は不透明板材でルーバー状に形成されることを特徴とする出窓構造。
【請求項５】
請求項３に記載の出窓構造であって、前記光反射板は平面状又は円弧状に形成されることを特徴とする出窓構造。
【請求項６】
請求項３又は請求項５に記載の出窓構造であって、前記不透明板材は金属サイディングであることを特徴とする出窓構造。
【発明の詳細な説明】
【技術分野】
【０００１】
本発明は、建物に設けられる出窓構造の技術に関し、特に、隣接する建物との間隔が狭い場合に採光や換気が向上する出窓構造に関する。
【背景技術】
【０００２】
従来、隣接する建物との間隔が狭い状況における出窓構造ではプライバシーを守るため出窓の正面部は閉切った状態で使用することが多い。そのため採光や換気が充分できないという問題があった。この問題を防ぐための出窓構造として特許文献１の方法が知られている。
【０００３】
特許文献１によれば、図９に示すように、出窓本体１は、左右の縦枠４及び方立５と、縦枠４及び方立５の上下にそれぞれ結合される上枠６及び下枠７と、左右の方立５、５間に結合される上枠９及び下枠１０とがタッピングホールやねじ等により結合されて枠組みされて躯体に固定される。
【０００４】
出窓本体１の正面部には、左右の方立５、５と上枠９と下枠１０で組まれた枠組み内に、開閉自在な窓を構成する２枚の引き違い障子１１が装着される。各方立５、５の室外側にはガイドレール１４、１４が取付けられ、ガイドレール１４には、巻胴４０に巻取り繰り出しされるシャッタースラット４１の両端が上下動自在に装着される。
【０００５】
出窓本体１の側面部には縦枠４と方立５と上枠６及び下枠７内にガラスパネルからなる嵌め殺し窓８が取付けられる。嵌め殺し窓８の室外側には、アーム３８により開閉される雨戸１３が取付けられる。雨戸１３はアルミニウム合金製の一対の縦框１３ａ、上框１３ｂ、下框１３ｃで組まれた枠内に鋼板等でなる複数枚のパネル１３ｄが組込まれる。
【０００６】
このため、建物が近接している場合、正面部のシャッタースラット４１を閉じても、側面部の雨戸１３を開くことにより側面部から採光を行うことが可能となり、室内を覗かれることなく採光を行うことができる。
【特許文献１】特開平１０−８８９１７号公報
【発明の開示】
【発明が解決しようとする課題】
【０００７】
ところが、雨戸１３を開放して出窓本体１の側面部から採光を行っても充分な採光が得られないという問題があった。そこで、本発明はかかる従来技術の問題に鑑みなされたものであり、建物が近接している場合に設けられる出窓構造であって側面部からの採光量を建物内に効率よく得ることができる出窓構造を提供することを目的とする。
【課題を解決するための手段】
【０００８】
請求項１の発明は、建物の出窓構造であって、前記出窓は壁面から突出する矩形状の正面部とこの正面部と前記壁面の間を囲う一対の側面部と頂面部と底面部とで形成され、前記側面部が透明板材で形成され前記建物に沿って採光用反射板を備えることを特徴としている。
【０００９】
請求項２の発明は、請求項１に記載の出窓構造であって、前記採光用反射板は前記出窓の側面部に向けて前記建物から立上り傾斜して設けられることを特徴としている。
【００１０】
請求項３の発明は、請求項１又は請求項２に記載の出窓構造であって、前記出窓の正面部は不透明板材で裏面に光反射板を備えることを特徴としている。
【００１１】
請求項４の発明は、請求項１又は請求項２に記載の出窓構造であって、前記出窓の正面部は不透明板材でルーバー状に形成されることを特徴としている。
【００１２】
請求項５の発明は、請求項３に記載の出窓構造であって、前記光反射板は平面状又は円弧状に形成されることを特徴としている。
【００１３】
請求項６の発明は、請求項３又は請求項５に記載の出窓構造であって、前記不透明板材は金属サイディングであることを特徴としている。
【発明の効果】
【００１４】
請求項１の発明によれば、建物の出窓構造であって、前記出窓は壁面から突出する矩形状の正面部とこの正面部と前記壁面の間を囲う一対の側面部と頂面部と底面部とで形成され、前記側面部が透明板材で形成され前記建物に沿って採光用反射板を備えるので、前記出窓の側面からの光が採光用反射板に反射して側面部の透明板材を透過した後、前記不透明板材の裏面の光反射板で反射する。このため、建物が近接している場合でも側面部からの採光を建物内に効率よく導くことができる。
【００１５】
請求項２の発明によれば、前記採光用反射板は前記出窓の側面部に向けて前記建物から立上り傾斜して設けられるので、採光用反射板から反射する反射光を効率よく前記出窓の側面から建物内に導くことができるので、請求項１の効果がさらに向上する。
【００１６】
請求項３の発明によれば、前記出窓の正面部は不透明板材で裏面に光反射板を備えるので、採光用反射板から反射する反射光を光反射板によって効率よく確実に建物内に導くことができるので、請求項１の効果がさらに向上する。
【００１７】
請求項４の発明によれば、前記不透明板材はルーバー状に形成されるので、採光用反射板から反射する側面部からの反射光と同時に前記出窓の正面部からも採光できるので、請求項１の効果がさらに向上する。
【００１８】
請求項５の発明によれば、前記光反射板は平面状又は円弧状に形成されるので、前記出窓の周囲の環境に合わせて平面状又は円弧状を選定し、側面部の採光用反射板から反射する反射光を効率よく前記出窓の側面から内部に導くことができるので、請求項１の効果がさらに向上する。
【００１９】
請求項６の発明によれば、前記出窓の正面部の前記不透明板材は金属サイディングで形成されるので、前記出窓の周囲における建物のデザインや色合いに対応して選ぶことができるので品質性が向上する。
【発明を実施するための最良の形態】
【００２０】
＜出窓構造の構成＞
以下に、本発明の第一の実施形態を図１〜図４に基づいて説明する。
【００２１】
図１、図２、図３、図４に示すように、建物の壁面２０に形成される出窓２１は、既設のスライド式の窓２２の窓枠２２ａに被せて設置される。出窓２１は壁面２０から突出する矩形状の正面部２３と、この正面部２３と壁面２０との隙間を囲うように設ける矩形状の一対の側面部２４、２４ｃと頂面部２５と底面部２６とで形成される。頂面部２５には図示しない庇兼水切りを備える。正面部２３には周囲に配置された凹溝Ｓを有する枠材２３ａを介して不透明板材２３ｂが取付けられ、一方の側面部２４には周囲に配置される枠材２４ａを介して透明板材２４ｂが取付けられる。この枠材２４ａは正面部２３側においては正面部２３の枠材２３ａと一体的に形成される。頂面部２５は庇と水切りの役目を備えるため壁面２０から離れる方向に下り勾配で形成される。
【００２２】
一方の側面部２４に建物の壁面２０に沿って採光用反射板３０を備える。この採光用反射板３０は一方の側面部２４に向けて壁面２０から角度αで立上るように傾斜して設けられる。他方の側面部２４ｃに透明板材２４ｂ及び採光用反射板３０は設けられない。
【００２３】
正面部２３の不透明板材２３ｂは枠材２３ａの四周に形成される凹溝Ｓに嵌入して係止され、不透明板材２３ｂとして金属サイディング３１が用いられる。金属サイディング３１は水平方向に細長い矩形状で、上端部に凸突起３１ａと下端部に凹溝３１ｂが形成され、複数枚の金属サイディング３１は隣接する金属サイディング３１の凸突起３１ａと凹溝３１ｂを介して連結される。
【００２４】
不透明板材２３ｂの屋内側に平面状の光反射板３３が枠材２３ａに固着される。採光用反射板３０と光反射板３３は白色系の金属板や樹脂版で成形され、必要に応じて反射効率を上げるために眩しくない程度に表面研磨仕上げされる。頂面部２５と底面部２６と枠材２４ａと枠材２３ａには、樹脂皮膜アルミ材、樹脂皮膜スチール材、塗装アルミ材、塗装スチール、アルマイト加工材等が使用される。不透明板材２３ｂはガラス材又はアクリル材が用いられる。
＜出窓構造の作用＞
【００２５】
上記、一方の側面部２４に建物の壁面２０に沿って採光用反射板３０を備え、この採光用反射板３０は一方の側面部２４に向けて壁面２０から角度αで立上るように傾斜して設けられる。このため、隣接する建物との隙間が狭い場合でも光Ｐが採光用反射板３０で反射して側面部２４から内部に導かれ、光反射板３３によって光反射板３３の垂直線に対して角度θ方向で反射する。最終的に光Ｐは出窓２１内で反射を繰り返して建物内部Ｑ方向に導かれる。
【００２６】
このため、正面部２３は隣接する建物との隙間が狭い場合にプライバシー確保のためにカーテン等で窓を締切り状態、或いは、一階に出窓２１がある場合には防犯面から締切り状態に成りがちであるが、自然光を容易に建物内部Ｑに導くことができるので室内の薄暗いという状態を改善して確実に明るくすることできる。このため防犯性と採光性が向上する。既設の窓枠２２ａを利用して設置できるので改築コストを低減できる。出窓２１によって二重サッシと同じ効果が得られるので断熱性が向上して内側の窓２２の結露防止効果が得られる。
＜本発明の第二の実施形態＞
【００２７】
本発明の第二の実施形態の出窓構造を、図５を用いて説明するが、図２に示す出窓構造の構成と同構成部分については、図面に同符号を付して重複した説明を省略する。
【００２８】
光反射板３４は上端部から下端部に亘って水平横断面が同形状の円弧状３４ａで建物側に膨らんで形成されるので、一方の側面部２４に設けられた採光用反射板３０で反射した光Ｐを円弧状３４ａで反射できる。そして、円弧状３４ａの垂線に対する反射角θ１が平面状の採光用反射板３０の場合の角度θより小さくなるので建物内部Ｑ方向へさらに効率良く導くことができる。このため、自然光を容易に建物内部Ｑに導くことができるので室内が薄暗いという状態を確実に改善することできる。
＜本発明の第三の実施形態＞
【００２９】
本発明の第二の実施形態の出窓構造を、図６を用いて説明するが、図２に示す出窓構造の構成と同構成部分については、図面に同符号を付して重複した説明を省略する。
【００３０】
光反射板３４の水平横断面形状は、他方の側面部２４ｃから出窓２１の中央部Ｈに亘って建物内部Ｑ側に膨らむ第一円弧状３４ｂと、中央部Ｈから一方の側面部２４に亘って建物外側に緩やかに膨らむ第二円弧状３４ｃとで形成される。より詳しくは、全体としては、第一円弧状３４ｂと第二円弧状３４ｃは不透明板材２３ｂである金属サイディング３１より建物内部Ｑ側に突出する形状である。
【００３１】
光反射板３４の水平横断面形状は、他方の側面部２４ｃから出窓２１の中央部Ｈに亘って建物内部Ｑ側に膨らむ第一円弧状３４ｂで形成され、中央部Ｈから一方の側面部２４に亘っては建物外側に緩やかに膨らむ第二円弧状３４ｃで形成される。このため、光Ｐが一方の側面部２４から中央部Ｈより深い位置に入射する場合に、一方の側面部２４に設けられた採光用反射板３０で反射した光Ｐは第一円弧状３４ｂで反射すると第一円弧状３４ｂの垂線に対するθ２が平面状の採光用反射板３０の角度θより小さくなり建物内部Ｑ方向へ効率良く導くことができる。このように、出窓の周囲の環境に合わせて円弧状を組合せることで採光効率を向上できる。なお、場合によれば平面状との組合わせもできる。
＜本発明の第四の実施形態＞
【００３２】
本発明の第四の実施形態の出窓構造を、図７（ａ）（ｂ）を用いて説明するが、図２に示す出窓構造の構成と同構成部分については、図面に同符号を付して重複した説明を省略する。
【００３３】
図７（ａ）（ｂ）に示すように、不透明板材３５は開閉式又は固定式のルーバー状で形成され光反射板３３を備えない。矩形状の正面部２３は垂直方向に細長い短冊状３５ａで複数のスリットＴを介して形成されるので、一方の側面部２４から入射した光Ｐに加えてこの正面部２３からスリットＴを通して光Ｐ１を採光できるので採光効率が向上する。不透明板材３５がルーバー状なので換気性も向上する。なお、下側の枠材２３ａに雨水用ドレン孔Ｗが形成される。
＜本発明の第五の実施形態＞
【００３４】
本発明の第五の実施形態の出窓構造を、図８（ａ）（ｂ）を用いて説明するが、図２に示す出窓構造の構成と同構成部分については、図面に同符号を付して重複した説明を省略する。
【００３５】
図８（ａ）（ｂ）に示すように、不透明板材３６は開閉式又は固定式のルーバー状で形成され光反射板３３を備えない。矩形状の正面部２３は水平方向に細長く短冊状３６ａで複数のスリットＴを介して上方から光Ｐ１を採光できるように形成される。このため、一方の側面部２４から入射した光Ｐに加えてこのスリットＴを通して正面部２３の上方から光Ｐ１を採光できるので採光効率が向上する。不透明板材３６がルーバー状なので換気性も向上する。なお、下側の枠材２３ａに雨水用ドレン孔Ｗが形成される。
【００３６】
以上、本発明の実施例を図面に基づいて説明したが、具体的な構成はこの実施例に限られるものではなく本発明の要旨を逸脱しない範囲の設計変更等があっても本発明に含まれる。
【００３７】
たとえば、建物の壁面に形成される出窓２１は、既設の窓の窓枠２２ａを利用せず、一般的な壁面に直接設置することもできる。特に新築においては出窓２１が隣家の窓位置に関係なく設定できるので部屋や窓のレイアウトの自由設計性が向上する。他方の側面部２４ｃに透明板材２４ｂを設けてもよい。両側面部２４、２４ｃに透明板材２４ｂと採光用反射板３０を同時に設けてもよい。光反射板３４の水平横断面形状は、一方の側面部２４から中央部Ｈに亘って建物内部Ｑ側に膨らむ第一円弧状３４ｂで形成してもよい。光反射板３４は上端部から下端部に亘って円弧状の形状を水平横断面で連続的に変化させると建物内部Ｑへの採光配分を上下方向で変化させることもできる。
【図面の簡単な説明】
【００３８】
【図１】本発明の第一の実施形態における、出窓２１の正面部２３に不透明板材２３ｂが取付けられ、一方の側面部２４に透明板材２４ｂが取付けられて採光用反射板３０を備える状態を示す斜視図である。
【図２】本発明の第一の実施形態における、図１のＡ−Ａ断面図である。
【図３】本発明の第一の実施形態における、図１のＢ−Ｂ断面図である。
【図４】本発明の第一の実施形態における、図３の“Ｃ”詳細図である。
【図５】本発明の第二の実施形態における、一方の側面部２４に設けられた採光用反射板３０で反射した光Ｐを円弧状３４ａの光反射板３４で反射させた状態を示す出窓２１の水平断面図である。
【図６】本発明の第三の実施形態における、光反射板３４の水平横断面形状が、第一円弧状３４ｂと第二円弧状３４ｃで形成される状態を示す出窓２１の水平断面図である。
【図７】本発明の第四の実施形態における、（ａ）は不透明板材３５が垂直方向にルーバー状で形成された状態を示す出窓２１の水平断面図、（ｂ）は図７（ａ）のＣ−Ｃ断面図である。
【図８】本発明の第五の実施形態における、（ａ）は不透明板材３５が水平方向にルーバー状に形成された状態を示す出窓２１の水平断面図、（ｂ）は図８（ａ）のＤ−Ｄ断面図である。
【図９】従来例における、出窓の状態を示す斜視図である。
【符号の説明】
【００３９】
２０  壁面
２１  出窓
２３  正面部
２３ａ  枠材
２３ｂ  不透明板材
２４  側面部
２４ａ  枠材
２４ｂ  透明板材
２５  頂面部
２６  底面部
３０  採光用反射板
３３  光反射板
【図１】
2010053519.tif 000003
【図２】
2010053519.tif 000004
【図３】
2010053519.tif 000005
【図４】
2010053519.tif 000006
【図５】
2010053519.tif 000007
【図６】
2010053519.tif 000008
【図７】
2010053519.tif 000009
【図８】
2010053519.tif 000010
【図９】
2010053519.tif 000011